(57)【特許請求の範囲】
【請求項１】
背もたれ部を有する椅子式マッサージ機であって、
前記背もたれ部は内部にフレームを備え、前記フレームは四角形状の枠体からなり、
前記フレームの内部には施療子が移動可能な領域が形成され、
前記フレームは、被施療者の背部に対する位置に配設される第１フレームと、前記被施療者の腰部に対する位置に配設される第２フレームと、前記第１フレームから突出して形成される肩ホールド部と、を含み、
前記第１フレームは前記第２フレームよりも柔らかい素材で構成され、
前記肩ホールド部は、少なくとも金属部を含む、椅子式マッサージ機。
【請求項２】
前記肩ホールド部は、金属の骨組みの周囲に樹脂をモールドして形成される、請求項１に記載の椅子式マッサージ機。
【請求項３】
前記第１フレームおよび前記第２フレームが接続された、請求項１または２に記載の椅子式マッサージ機。
【請求項４】
前記第１フレームおよび前記第２フレームの少なくとも一方が、モールドウレタンにより形成された、請求項１から３のいずれか１項に記載の椅子式マッサージ機。
【請求項５】
前記第１フレームおよび前記第２フレームの少なくとも一方は、少なくとも一部に多点突起が形成された請求項１から４のいずれか１項に記載の椅子式マッサージ機。
【請求項６】
前記第１フレームおよび前記第２フレームのそれぞれは、素材の硬さが連続的に変化して形成された、請求項１から５のいずれか１項に記載の椅子式マッサージ機。
【発明の詳細な説明】
【技術分野】
【０００１】
本発明は、椅子式マッサージ機および椅子式マッサージ機の製造方法に関する。
【背景技術】
【０００２】
従来、椅子式マッサージ機について研究開発が行われている。特に特許文献１（特開２００４−５７４２８号公報）は、背筋を十分に伸ばすことができる椅子式マッサージ装置について開示されている。
【０００３】
特許文献１記載のマッサージ機は、座部及び該座部に設けられた背凭れ部を有する椅子本体と、該椅子本体の人体当接面に設けられたエアバッグと、該エアバッグを膨張収縮させる給排気装置とを備えた椅子式マッサージ装置であって、背凭れ部は、長手方向中間部で背凭れ上部と背凭れ下部とに分割され、背凭れ上部は、該背凭れ上部と背凭れ下部との間に設けられた回動保持機構により、背凭れ下部に対して後方方向に回動可能に支持されていると共に、所定の回動角度に保持されるものである。
【０００４】
また、特許文献２（特開２０１５−１９８９１号公報）は、パッド部材の伸縮量を充分確保して、施療子の動作が阻害されることなく良好なマッサージを行うことができるマッサージ機について開示されている。
【０００５】
特許文献２記載のマッサージ機は、被施療部をマッサージするマッサージ部と、被施療部とマッサージ部との間に介在して被施療部を支持するパッド部材と、を備え、パッド部材は、身長方向への伸縮を補助する伸縮部を有するものである。
【先行技術文献】
【特許文献】
【０００６】
【特許文献１】特開２００４−５７４２８号公報
【特許文献２】特開２０１５−１９８９１号公報
【発明の概要】
【発明が解決しようとする課題】
【０００７】
特許文献１記載のマッサージ機は、上プレートと下プレートとの間に設けられた回動保持機構２０が回転することにより十分に背筋を伸ばすことができる。
また、特許文献２記載のマッサージ機は、被施療部とマッサージ部との間に、伸縮部を備えたパッド部材を有することにより施療子の動作を阻害することなく、良好なマッサージを行うことができる。
【０００８】
しかしながら、近年、被施療者は、マッサージの体感をさらに向上させることを所望している。特にメンテナンスの必要性が低く、経時的に体感を得ることができる椅子式マッサージ機が望まれている。
【０００９】
本発明の主な目的は、マッサージの体感を向上させることができる椅子式マッサージ機および椅子式マッサージ機の製造方法を提供することである。
【課題を解決するための手段】
【００１０】
（１）
一局面に従う椅子式マッサージ機は、背もたれ部を有する椅子式マッサージであって、背もたれ部のフレームは、部位によって素材の硬さが異なるものである。
【００１１】
この場合、椅子式マッサージ機の背もたれ部の部位によってフレームの硬さが異なる。したがって、施療者の腰部および背部に対応するフレームの硬さを変化させることができ、体感を向上させることができる。
【００１２】
例えば、腰部をしっかりとサポートすることができ、背部のクッション性を高めることができる。また、被施療者の背骨部近傍側は、サポートをしっかりとさせることができ、被施療者の背骨部遠方側は、クッション性を高めることができる。その結果、被施療者の体感を高めることができる。また、フレームの硬さを変化させることにより長期利用における硬さの経時変化を抑制することができる。
【００１３】
（２）
第２の発明にかかる椅子式マッサージ機は、一局面に従う椅子式マッサージ機において、背もたれ部は、少なくとも第１フレームと、第１フレームと硬さの異なる第２フレームと、を含んでもよい。
【００１４】
この場合、第１フレームと第１フレームと硬さの異なる第２フレームとを含むことにより容易に部位によって素材の硬さを変化することができる。
なお、第１フレーム、第２フレーム、第３フレーム、第ｎフレーム（ｎ：自然数）からなってもよく、そのうちの一部と他部との素材の硬さが異なればよい。
【００１５】
（３）
第３の発明にかかる椅子式マッサージ機は、第２の発明にかかる椅子式マッサージにおいて、被施療者の腰部に対する位置に第２フレームが配設され、被施療者の背部に対する位置に第１フレームが配設され、第１フレームおよび第２フレームが接続されてもよい。
【００１６】
この場合、第１フレームおよび第２フレームが接続され、第２フレームにより被施療者の腰部がホールドされ、第１フレームにより被施療者の背部が保持される。
【００１７】
（４）
第４の発明にかかる椅子式マッサージ機は、第２または第３の発明にかかる椅子式マッサージ機において、第１フレームおよび第２フレームの少なくとも一方が、モールドウレタンにより形成されてもよい。
【００１８】
この場合、第１フレームおよび第２フレームの少なくとも一方がモールドウレタンにより形成されてもよいので、第１フレームおよび第２フレームのいずれもモールドウレタンにより形成されてもよく、第１フレームのみモールドウレタンにより形成され、第２フレームは、樹脂により形成されてもよい。
その結果、素材の硬さを容易に変化させることができる。
【００１９】
（５）
第５の発明にかかる椅子式マッサージ機は、第２から第４の発明にかかる椅子式マッサージ機において、第２フレームは、第１フレームよりも素材の硬さ値が高くてもよい。
【００２０】
この場合、第２フレームは、第１フレームより素材の硬さ値が高いので、第２フレームは、堅固な部材からなり、第１フレームは柔軟な部材から形成させることができる。その結果、被施療者の体感を向上させることができる。
【００２１】
（６）
第６の発明にかかる椅子式マッサージ機は、第４または第５の発明にかかる椅子式マッサージ機において、第１フレームおよび第２フレームの少なくとも一方は、少なくとも一部に多点突起が形成されてもよい。
【００２２】
この場合、第１フレームおよび第２フレームの少なくとも一方に、多点突起が形成される。また、第１フレームおよび第２フレームの少なくとも一部に多点突起が形成されるので、被施療者の体重を多点突起で支持することができる。
【００２３】
（７）
第７の発明にかかる椅子式マッサージ機は、一局面に従うマッサージ機において、背もたれ部のフレームは、フレーム素材の硬さが連続的に変化して形成されてもよい。
【００２４】
この場合、フレーム素材の硬さが徐々に変化されるので、被施療者の腰部および背部に対応するフレームの硬さを徐々に変化させることができる。例えば、腰部はサポートをしっかりとさせることができ、背部はクッション性を高めることができ、背部と腰部との間を柔軟に保持することができる。また、被施療者の背骨部近傍側は、サポートをしっかりとさせることができ、被施療者の背骨部遠方側は、クッション性を高めることができ、背骨部近傍側と背骨部遠方側との間を柔軟に保持することができる。
その結果、被施療者の体感を高めることができる。また、フレームの硬さを連続的に変化させることにより長期利用における硬さの経時変化を抑制することができる。
【００２５】
（８）
第８の発明にかかる椅子式マッサージ機は、一局面から第７の発明にかかる椅子式マッサージ機において、被施療者の肩をホールドするために背もたれ部から突出して形成された肩ホールド部をさらに含み、肩ホールド部は、少なくとも金属部を含んでもよい。
【００２６】
この場合、肩ホールド部は少なくとも金属部を含むため、被施療者の肩をしっかりと保持させることができる。
【００２７】
（９）
他の局面に従う椅子式マッサージ機の製造方法は、背もたれ部を有する椅子式マッサージ機の製造方法であって、背もたれ部の第１フレームと第１フレームと硬さの異なる第２フレームとを接続する接続工程を含むものである。
【００２８】
この場合、第１フレームと硬さの異なる第２フレームとを接続するので、容易に、被施療者の腰部および背部に対応するフレームの硬さを変化させることができる。
【００２９】
（１０）
さらに他の発明に従う椅子式マッサージ機の製造方法は、背もたれ部を有する椅子式マッサージ機の製造方法であって、背もたれ部の部位の硬さを変化させて一体形成する一体形成工程を含んでもよい。
【００３０】
この場合、背もたれ部の部位の硬さを変化させて一体形成するので、容易に、被施療者の腰部および背部に対応するフレームの硬さを徐々に変化させることができる。
【図面の簡単な説明】
【００３１】
【図１】椅子式マッサージ機およびフレームの一例を示す模式図である。
【図２】フレームの一例を示す模式図である。
【図３】フレームの一例を示す模式図である。
【図４】フレームの一例を示す模式図である。
【図５】フレームの一例を示す模式図である。
【図６】フレームの一例を示す模式図である。
【図７】フレームの一例を示す模式図である。
【発明を実施するための形態】
【００３２】
以下、本発明に係る実施の形態について図面を用いて説明する。以下の説明では、同一の部品には同一の符号を付してある。それらの名称および機能も同じである。したがって、それらについての詳細な説明は繰り返さない。
【００３３】
[第１の実施の形態]
図１は、椅子式マッサージ機１００およびフレーム３１０の一例を示す模式図である。
【００３４】
図１に示すように、椅子式マッサージ機１００は、座部２００、背凭れ部３００、基台部４００、腕施療部５００、操作部７００、スタンド８００、および脚載部９００を有する。
また、図１の拡大図は、背凭れ部３００の内部構造を示す模式図である。
【００３５】
また、説明のために、図１に示すように、椅子式マッサージ機１００においては、座部２００に背凭れ部３００が形成された側を後側（ＢＡＣＫ）と仮定し、後側（ＢＡＣＫ）と逆側を前側（ＦＲＯＮＴ）と仮定し、それぞれ、左側（ＬＥＦＴ）および右側（ＲＩＧＨＴ）を仮定する。
【００３６】
椅子式マッサージ機１００の座部２００の後側には、背凭れ部３００が設けられ、座部２００の前側には、脚載部９００が設けられる。座部２００の左右両側には、それぞれ一対の基台部４００が設けられる。また、基台部４００の上にそれぞれ腕施療部５００が設けられる。
腕施療部５００の少なくとも一方側の、基台部４００および腕施療部５００の間からスタンド８００が設けられ、スタンド８００に操作部７００が保持される。
【００３７】
椅子式マッサージ機１００の座部２００は、座部２００のフレームに対してクッション性のある外装カバーが取り付けられている。背凭れ部３００の中央部には、施療子（図示省略）が移動するための空間が形成されている。また、背凭れ部３００に対してもクッション性のある外装カバーおよび枕が取り付けられている。
腕施療部５００の内部には、施療ユニットが内蔵されている。また脚載部９００の内部にも、施療ユニットが内蔵されている。なお、施療ユニットは、例えば、空気圧により施療を行う装置である。
【００３８】
被施療者は、座部２００に着座し、背中を背凭れ部３００に載せ、前腕を腕施療部５００に挿入する。さらに、被施療者は、脚載部９００に両脚を挿入し、操作部７００を操作することにより、マッサージを受けることができる。
【００３９】
[フレーム３１０]
次いで、図２は、フレーム３１０の一例を示す模式図である。上述したように、図１の拡大図にも示したように、背凭れ部３００の内部には、フレーム３１０が内蔵されている。図２に示すように、本実施の形態において、フレーム３１０は第１フレーム３１１、および第２フレーム３１２を含む。
【００４０】
フレーム３１０は、四角形状の枠体からなる。フレーム３１０の内部には、施療子（図示省略）が移動可能な領域が形成されている。
また、フレーム３１０の第１フレーム３１１は、コ字形状からなり、第２フレーム３１２も、コ字形状からなる。第１フレーム３１１および第２フレーム３１２のコ字状の端部をそれぞれ互いに接続することで、四角形状の枠体からなるフレーム３１０が形成される。
【００４１】
フレーム３１０は、被施療者の背中をサポート可能な形状からなり、左右側が盛り上がった形状からなる。また、フレーム３１０の第１フレーム３１１は、被施療者の背中上部をサポートする部分であり、第２フレーム３１２は、被施療者の背中下部、特に腰部をサポートする部分である。
【００４２】
本実施の形態において、例えば、第１フレーム３１１と第２フレーム３１２とのそれぞれの端部は、溶着で固定されている。また、第１フレーム３１１は、ウレタンモールドからなり、第２フレーム３１２は、樹脂または金属からなる。
【００４３】
なお、上記の実施の形態においては、第１フレーム３１１と第２フレーム３１２とを溶着することとしたが、これに限定されず、第１フレーム３１１と第２フレーム３１２とをねじ止め、または嵌合、のうちいずれか１つを用いてもよく、複数を用いてもよい。
【００４４】
また、上記の実施の形態においては、第１フレーム３１１をウレタンモールド、第２フレーム３１２を樹脂または金属からなることとしているが、これに限定されず、第１フレーム３１１および第２フレーム３１２の両方をウレタンモールドからなることとしてもよく、互いに硬さが異なるものであればよい。
特に第１フレーム３１１の硬さが、第２フレーム３１２の硬さよりもやわらかいことが好ましい。この場合、第１フレーム３１１および第２フレーム３１２が同材質からなるので、第１フレーム３１１および第２フレーム３１２との接続が容易となる。
【００４５】
更に、第２フレーム３１２の硬さが第１フレーム３１１よりも硬い素材からなるので、被施療者の腰部をしっかりと支持（ホールド）することができる。また、第１フレーム３１１が第２フレーム３１２よりもやわらかい素材からなるので、被施療者の背中上部（肩部等）を柔らかく支持することができる。
また、フレーム３１０の硬さを変化させているため、経時変化による硬さの変化を防止することができる。
【００４６】
[フレーム３１０ａ]
次に、図３は、フレーム３１０ａの一例を示す模式図である。フレーム３１０ａにおいては、フレーム３１０と異なる点について主に説明を行う。説明を行わない部分は、フレーム３１０と同じである。
【００４７】
図３に示すように、フレーム３１０ａは、第１フレーム３１１、  第２フレーム３１２および第３フレーム３１３を含む。フレーム３１０ａは、第１フレーム３１１および第２フレーム３１２の間に、第３フレーム３１３を設けたものである。
フレーム３１０ａもフレーム３１０と同様に四角形状の枠体からなる。したがって、フレーム３１０と同様に、第１フレーム３１１および第２フレーム３１２は、互いにコ字形状からなる。そして、第３フレーム３１３は、一対の直線状の枠体からなる。
第１フレーム３１１および第２フレーム３１２の間にそれぞれ第３フレーム３１３が設けられる。
【００４８】
上記においては、第１フレーム３１１の硬さが、第３フレーム３１３と同等または第３フレーム３１３よりもやわらかく、第３フレーム３１３の硬さが第２フレーム３１２よりもやわらかい。
その結果、被施療者の腰部を第２フレーム３１２により確実に支持することができ、第３フレーム３１３および第１フレーム３１１により被施療者の背中上部（肩部等）を柔らかく保持することができる。
【００４９】
[フレーム３１０ｂ]
次いで、図４は、フレーム３１０ｂの一例を示す模式図である。フレーム３１０ｂにおいては、フレーム３１０と異なる点について主に説明を行う。説明を行わない部分は、フレーム３１０と同じである。
【００５０】
図４に示すように、フレーム３１０ｂは、第１フレーム３１１ｂおよび一対の第２フレーム３１２ｂを含む。
第１フレーム３１１ｂは、四角形状の枠体からなる。第１フレーム３１１ｂの四角形状の枠体の内側の左右両側に一対の第２フレーム３１２ｂが取り付けられる。
なお、一対の第２フレーム３１２ｂは、金属または樹脂からなり、第１フレーム３１１ｂは、ウレタンモールドからなる。
【００５１】
第１フレーム３１１ｂと一対の第２フレーム３１２ｂとは、溶着、ねじ止め、または嵌合、のうちいずれか１つを用いてもよく、複数を併合して用いてもよい。
【００５２】
この場合、一対の第２フレーム３１２ｂにより被施療者の背骨を確実に支持することができ、第１フレーム３１１ｂにより被施療者の背骨以外の部分をやさしく支持することができる。
【００５３】
[フレーム３１０ｃ]
次いで、図５は、フレーム３１０ｃの一例を示す模式図である。フレーム３１０ｃにおいては、フレーム３１０と異なる点について主に説明を行う。説明を行わない部分は、フレーム３１０と同じである。
【００５４】
図５に示すように、フレーム３１０ｃは、同一系統の素材からなり、部位ａ，ｂ，ｃ，ｄ，ｅにおいて素材の硬さが徐々に変化するように形成されている。例えば、部位ａ，〜，部位ｅは、ウレタンモールドで形成され、硬さが連続的に硬くなるように形成されている。
【００５５】
なお、フレーム３１０ｃは、硬さが連続的に変化することとしているが、これに限定されず、部位ａ，〜，部位ｅにおいて、硬さが階段状に変化することとしてもよい。
【００５６】
その結果、被施療者の腰部を部位ｅにより確実に支持することができ、連続的に部位ｄから部位ｃ、部位ｂ、部位ａの順に徐々に、被施療者の背中上部（肩部等）を柔らかく保持することができる。
【００５７】
[フレーム３１０ｄ]
次いで、図６は、フレーム３１０ｄの一例を示す模式図である。フレーム３１０ｄにおいては、フレーム３１０と異なる点について主に説明を行う。説明を行わない部分は、フレーム３１０と同じである。
【００５８】
図６に示すように、フレーム３１０ｄは、第１フレーム３１１ｄおよび第２フレーム３１２からなる。
また、第１フレーム３１１ｄは、図２の第１フレーム３１１と異なり、複数の凸部位３２０ｄが形成されている。図６の複数の凸部位３２０ｄは、ウレタンモールドにより形成されている。
したがって、第１フレーム３１１ｄがウレタンモールドにより形成されている場合、複数の凸部位３２０ｄも同様に一体に形成することができる。
【００５９】
なお、凸部位３２０ｄは、第１フレーム３１１ｄの一部に形成されていることとしているが、これに限定されず、第１フレーム３１１ｄの全てに形成してもよく、第２フレーム３１２がウレタンモールドで形成されている場合、第２フレーム３１２の全面に形成してもよい。
【００６０】
なお、凸部位３２０ｄの硬さは第１フレーム３１１ｄと同じ、またはやわらかく形成され、第１フレーム３１１ｄの硬さは、第２フレーム３１２よりもやわらかく形成される。
【００６１】
[フレーム３１０ｅ]
続いて、図７は、フレーム３１０ｅの一例を示す模式図である。フレーム３１０ｅにおいては、フレーム３１０と異なる点について主に説明を行う。説明を行わない部分は、フレーム３１０と同じである。
【００６２】
図７に示すように、フレーム３１０ｅは、第１フレーム３１１、第２フレーム３１２および一対の肩部フレーム３４０を含む。
一対の肩部フレーム３４０は、金属の骨組みに対して周囲に樹脂をモールドして形成される。また、一対の肩部フレーム３４０は、第１フレーム３１１の左右両部にそれぞれ取り付けられる。
【００６３】
以上のように、椅子式マッサージ機１００の背もたれ部３００の部位によってフレームの硬さが異なる。特に第１フレーム３１１、第２フレーム３１２の硬さが異なる。
第１フレーム３１１，３１１ｂ，３１１ｄは、第２フレーム３１２，３１２ｂよりも硬さが柔らかいので、容易に硬さを変化することができる。
【００６４】
したがって、被施療者の腰部をしっかりと支持しつつ、背中上部（肩部）を柔らかく支持することができる。
また、被施療者の背骨部をしっかりと支持しつつ、背骨周囲を柔らかく支持することができる。その結果、被施療者の体感を向上させることができる。
【００６５】
本発明は、背凭れ部３００は、「背もたれ部」に相当し、椅子式マッサージ機１００は、「椅子式マッサージ機」に相当し、第１フレーム３１１、３１１ｂ、３１１ｄが「第１フレーム」に相当し、第２フレーム３１２、３１２ｂが「第２フレーム」に相当し、複数の凸部位３２０ｄが「多点突起」に相当し、一対の肩部フレーム３４０が「肩ホールド部」に相当する。
【００６６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００６７】
１００：椅子式マッサージ機
２００：座部
３００：背凭れ部
３１０：フレーム
５００：腕施療部
７００：操作部
８００：スタンド
９００：脚載部
【図１】
0006571973.tif 000002
【図２】
0006571973.tif 000003
【図３】
0006571973.tif 000004
【図４】
0006571973.tif 000005
【図５】
0006571973.tif 000006
【図６】
0006571973.tif 000007
【図７】
0006571973.tif 000008